(57)【要約】【課題】  内部電極位置のばらつきによる静電容量のばらつきを低減すること【解決手段】  本発明の積層コンデンサ１は、素子５と、第１端子電極２と、第２端子電極４と、互いに隣り合い且つ第１端子電極２に電気的に接続された第１内部電極１１Ａ及び第２内部電極１３Ａを含む複数の第１内部電極群Ａと、互いに隣り合い且つ第２端子電極４に電気的に接続された第３内部電極１１Ｂ及び第４内部電極１３Ｂを含む複数の第２内部電極群Ｂと、を備え、素子５には、複数の第１内部電極群Ａと複数の第２内部電極群Ｂとが、第２内部電極１３Ａと第３内部電極１１Ｂとが互いに隣り合うように、積層方向に交互に配されており、第１内部電極１１Ａの外輪郭は、積層方向から見て第２内部電極１３Ａの外輪郭より外側に位置し、第３内部電極１１Ｂの外輪郭は、積層方向から見て第４内部電極１３Ｂの外輪郭より外側に位置する。【選択図】  図２
2007095818.tif 000002
【特許請求の範囲】
【請求項１】
複数の誘電体層が積層された素子と、
前記素子の外表面に形成された第１端子電極と、
前記素子の外表面に形成され、前記第１端子電極と電気的に絶縁された第２端子電極と、
前記誘電体層を介して前記複数の誘電体層の積層方向に互いに隣り合い且つ前記第１端子電極に電気的に接続された第１内部電極及び第２内部電極を含む複数の第１内部電極群と、
前記誘電体層を介して前記積層方向に互いに隣り合い且つ前記第２端子電極に電気的に接続された第３内部電極及び第４内部電極を含む複数の第２内部電極群と、を備え、
前記素子には、前記複数の第１内部電極群と前記複数の第２内部電極群とが、前記第２内部電極と前記第３内部電極とが前記誘電体層を介して前記積層方向に互いに隣り合うように、前記積層方向に交互に配されており、
前記第１内部電極の前記素子内に位置する部分の外輪郭は、前記積層方向から見て前記第２内部電極の前記素子内に位置する部分の外輪郭より外側に位置し、
前記第３内部電極の前記素子内に位置する部分の外輪郭は、前記積層方向から見て前記第４内部電極の前記素子内に位置する部分の外輪郭より外側に位置することを特徴とする積層コンデンサ。
【発明の詳細な説明】
【技術分野】
【０００１】
本発明は、積層コンデンサに関する。
【背景技術】
【０００２】
従来の積層コンデンサとして、複数の内部電極と複数の誘電体層とを交互に積層して形成された素体と、素体の外表面に内部電極と電気的に接続して形成された第１端子電極及び第２端子電極と、を備えるものが知られている。下記特許文献１には、互いに隣り合う一対の内部電極ごとに第１端子電極又は第２端子電極に接続し、第１端子電極に接続した一対の内部電極と第２端子電極に接続した一対の内部電極とを交互に積層した積層コンデンサについて記載されている。
【特許文献１】特開平６−３４９６６６号公報
【発明の開示】
【発明が解決しようとする課題】
【０００３】
上記従来及び特許文献１に記載の積層コンデンサに含まれる素子は、シート状の誘電体層に所定形状の内部電極を印刷して、内部電極が印刷された誘電体層を複数積層することにより形成される。内部電極の印刷位置は、積層方向と垂直な方向にばらつく。また、内部電極が印刷された誘電体層を積層する際に、内部電極の位置は積層方向と垂直な方向にばらつく。
【０００４】
このことから上記特許文献１の積層コンデンサでは、一対の内部電極において互いに重なり合う面積にばらつきが生じる。よって、上記特許文献１の積層コンデンサには、静電容量のばらつきが更に増大するという問題が生じる。
【０００５】
本発明は、上記問題点を解消する為になされたものであり、内部電極位置のばらつきによる静電容量のばらつきを低減することが可能な積層コンデンサを提供することを目的とする。
【課題を解決するための手段】
【０００６】
本発明の積層コンデンサは、複数の誘電体層が積層された素子と、素子の外表面に形成された第１端子電極と、素子の外表面に形成され、第１端子電極と電気的に絶縁された第２端子電極と、誘電体層を介して複数の誘電体層の積層方向に互いに隣り合い且つ第１端子電極に電気的に接続された第１内部電極及び第２内部電極を含む複数の第１内部電極群と、誘電体層を介して積層方向に互いに隣り合い且つ第２端子電極に電気的に接続された第３内部電極及び第４内部電極を含む複数の第２内部電極群と、を備え、素子には、複数の第１内部電極群と複数の第２内部電極群とが、第２内部電極と第３内部電極とが誘電体層を介して積層方向に互いに隣り合うように、積層方向に交互に配されており、第１内部電極の素子内に位置する部分の外輪郭は、積層方向から見て第２内部電極の素子内に位置する部分の外輪郭より外側に位置し、第３内部電極の素子内に位置する部分の外輪郭は、積層方向から見て第４内部電極の素子内に位置する部分の外輪郭より外側に位置することを特徴とする積層コンデンサ。
【０００７】
本発明の積層コンデンサによれば、第１内部電極の素子内に位置する部分の外輪郭は、積層方向から見て第２内部電極の素子内に位置する部分の外輪郭より外側に位置するので、第１内部電極と第２内部電極とが積層方向に重なり合う面積のばらつきを抑制することができる。また、第３内部電極の素子内に位置する部分の外輪郭は、積層方向から見て第４内部電極の素子内に位置する部分の外輪郭より外側に位置するので、第３内部電極と第４内部電極とが積層方向に重なり合う面積のばらつきを抑制することができる。よって、第１〜第４内部電極位置のばらつきによる静電容量のばらつきを低減することができる。
【発明の効果】
【０００８】
本発明によれば、内部電極位置のばらつきによる静電容量のばらつきを低減することが可能な積層コンデンサを提供することができる。
【発明を実施するための最良の形態】
【０００９】
以下、添付図面を参照して、本発明を実施するための最良の形態を詳細に説明する。なお、図面の説明において同一の要素に同一の符号を付し、重複する説明を省略する。
【００１０】
図１は、本実施形態に係る積層コンデンサ１の斜視図である。積層コンデンサ１は、図１に示されるように、略直方体形状の素子５と、当該素子５に形成された一対の第１端子電極２及び第２端子電極４と、を備える。
【００１１】
素子５は、素子５の長手方向に対向する一対の端面と、素子５の積層方向に対向する一対の側面と、長手方向及び積層方向に垂直な方向に対向する一対の側面とを有している。第１端子電極２は、一方の端面の全面を覆い、更にその一部が各側面上に回りこんで形成されている。第２端子電極４は、他方の端面の全面を覆い、更にその一部が各側面上に回り込んで形成されている。素子５の積層方向に対向する一対の側面のいずれか一方の側面は、積層コンデンサ１が外部基板に実装されたときに、当該外部基板に対向する面である。
【００１２】
図２を参照して、素子５の構成について説明する。図２は、本実施形態に係る積層コンデンサ１の断面図である。素子５は、複数の誘電体層２０が積層して形成された２つの外層部７と、２つの外層部７の間に位置する内層部９とを有している。内層部９には、誘電体層２０を介して積層された複数の内部電極が形成されている。内層部９が、積層コンデンサ１の静電容量成分を生成し、外層部７が、内層部９を保護すると共に積層コンデンサ１の厚さ寸法を調整する機能を有している。
【００１３】
内層部９には、第１端子電極２と電気的に接続された第１内部電極１１Ａと第２内部電極１３Ａとを含む第１内部電極群Ａが形成されている。本実施形態では、第１内部電極群Ａは二対形成されている。矩形状に形成された各第１内部電極１１Ａ及び各第２内部電極１３Ａの一辺が、第１端子電極２が形成された端面に露出して、第１端子電極２と機械的かつ電気的に接続されている。第１内部電極群Ａに含まれる第１内部電極１１Ａと第２内部電極１３Ａとは、誘電体層２０を介して誘電体層２０の積層方向に互いに隣り合うように積層されている。
【００１４】
内層部９には、第２端子電極４と電気的に接続された第３内部電極１１Ｂと第４内部電極１３Ｂとを含む第２内部電極群Ｂが形成されている。本実施形態では、第２内部電極群Ｂは二対形成されている。矩形状に形成された各第３内部電極１１Ｂ及び各第４内部電極１３Ｂの一辺が、第２端子電極４が形成された端面に露出して、第２端子電極４と機械的かつ電気的に接続されている。第２内部電極群Ｂに含まれる第３内部電極１１Ｂと第４内部電極１３Ｂとは、誘電体層２０を介して誘電体層２０の積層方向に互いに隣り合うように積層されている。
【００１５】
第１内部電極群Ａと第２内部電極群Ｂとは、積層方向に交互に配されている。また、第１内部電極群Ａと第２内部電極群Ｂとは、第２内部電極１３Ａと第３内部電極１１Ｂとが誘電体層２０を介して積層方向に互いに隣り合うように積層されている。更に、第１内部電極群Ａは第１端子電極２側にずれて積層され、第２内部電極群Ｂは第２端子電極４側にずれて積層されて、第１内部電極群Ａと第２内部電極群Ｂとは互いに所定寸法ずれて積層されている。
【００１６】
本実施形態では、第１内部電極１１Ａ、第２内部電極１３Ａ、第３内部電極１１Ｂ、及び第４内部電極１３Ｂの厚さは、１．５μｍ程度である。また、第１内部電極群Ａに含まれる第１内部電極１１Ａと第２内部電極１３Ａとの間の距離、及び第２内部電極群Ｂに含まれる第３内部電極１１Ｂと第４内部電極１３Ｂとの間の距離は、１．３μｍ程度である。また、第１内部電極群Ａに含まれる第１内部電極１１Ａと第２内部電極群Ｂに含まれる第４内部電極１３Ｂとの間の距離、及び第１内部電極群Ａに含まれる第２内部電極１３Ａと第２内部電極群Ｂに含まれる第３内部電極１１Ｂとの間の距離は、２．５μｍ程度である。
【００１７】
図３を参照して第１内部電極１１Ａと第２内部電極１３Ａとについてより詳しく説明する。図３は、第１内部電極１１Ａ及び第２内部電極１３Ａについて説明するための模式図である。図３は、図２における第１内部電極１１Ａ及び第２内部電極１３Ａを上から見た図である。
【００１８】
第１内部電極１１Ａと第２内部電極１３Ａとは略同形状で、第１内部電極１１Ａの面積は、第２内部電極１３Ａの面積より大きい。そして、第１内部電極１１Ａの素子５内に位置する部分の外輪郭は、積層方向から見て第２内部電極１３Ａの素子５内に位置する部分の外輪郭より外側に位置する。例えば、第１内部電極１１Ａの素子５内に位置する部分の外輪郭は、積層方向から見て第２内部電極１３Ａの素子５内に位置する部分の外輪郭より３０μｍ程度外側に位置する。
【００１９】
図４を参照して第３内部電極１１Ｂと第４内部電極１３Ｂとについてより詳しく説明する。図４は、第３内部電極１１Ｂ及び第４内部電極１３Ｂについて説明するための模式図である。図４は、図２における第３内部電極１１Ｂ及び第４内部電極１３Ｂを上から見た図である。
【００２０】
第３内部電極１１Ｂと第４内部電極１３Ｂとは略同形状で、第３内部電極１１Ｂの面積は、第４内部電極１３Ｂの面積より大きい。そして、第３内部電極１１Ｂの素子５内に位置する部分の外輪郭は、積層方向から見て第４内部電極１３Ｂの素子５内に位置する部分の外輪郭より外側に位置する。例えば、第３内部電極１１Ｂの素子５内に位置する部分の外輪郭は、積層方向から見て第４内部電極１３Ｂの素子５内に位置する部分の外輪郭より３０μｍ程度外側に位置する。
【００２１】
第１内部電極１１Ａと第３内部電極１１Ｂとは略同形状かつ同程度の面積であり、第２内部電極１３Ａと第４内部電極１３Ｂとも略同形状かつ同程度の面積である。
【００２２】
本実施形態の積層コンデンサ１によれば、第１内部電極１１Ａの素子５内に位置する部分の外輪郭は、積層方向から見て第２内部電極１３Ａの素子内に位置する部分の外輪郭より外側に位置するので、第１内部電極１１Ａと第２内部電極１３Ａとが積層方向に重なり合う面積のばらつきを抑制することができる。また、第３内部電極１１Ｂの素子５内に位置する部分の外輪郭は、積層方向から見て第４内部電極１３Ｂの素子５内に位置する部分の外輪郭より外側に位置するので、第３内部電極１１Ｂと第４内部電極１３Ｂとが積層方向に重なり合う面積のばらつきを抑制することができる。よって、第１〜第４内部電極１１Ａ，１３Ａ，１１Ｂ，１３Ｂ位置のばらつきによる静電容量のばらつきを低減することができる。
【図面の簡単な説明】
【００２３】
【図１】本実施形態に係る積層コンデンサの斜視図である。
【図２】本実施形態に係る積層コンデンサの断面図である。
【図３】本実施形態に係る積層コンデンサに含まれる第１内部電極及び第２内部電極について説明するための模式図である。
【図４】本実施形態に係る積層コンデンサに含まれる第３内部電極及び第４内部電極について説明するための模式図である。
【符号の説明】
【００２４】
１…積層コンデンサ、２…第１端子電極、４…第２端子電極、５…素子、７…外層部、９…内層部、２０…誘電体層、１１Ａ…第１内部電極、１３Ａ…第２内部電極、１１Ｂ…第３内部電極、１３Ｂ…第４内部電極、Ａ…第１内部電極群、Ｂ…第２内部電極群。
【図１】
2007095818.tif 000003
【図２】
2007095818.tif 000004
【図３】
2007095818.tif 000005
【図４】
2007095818.tif 000006